(57)【特許請求の範囲】
【請求項１】
被写体を撮像して光学像を得るための撮像光学系と、前記撮像光学系により結像された被写体像から画像データを得るための撮像素子と、前記撮像素子から得られる画像データに基づいて被写体の画像を表示する表示素子と、前記撮像光学系で得られる光学像と前記表示素子に表示される画像のそれぞれを観察可能なファインダ光学系と、前記ファインダ光学系で観察する対象を前記撮像光学系の光学像と前記表示素子の表示画像とで選択的に切り替えるファインダ像切替手段と、前記撮像光学系の光学像が前記撮像素子と前記ファインダ光学系のいずれか一方に入射されるように選択的に切り替える撮像切替手段と、前記ファインダ光学系で観察する対象を複数の異なるモードで観察可能とするために選択されたモードに対応して前記ファインダ像切替手段と前記撮像切替手段とを同時に切替動作制御可能な制御手段とを備え、前記制御手段は、レリーズボタンの半押しに呼応して、前記光学像が前記撮像素子に入射されるように前記撮像切替手段を切り替える制御と、前記ファインダ光学系で観察する対象が前記表示素子の表示画像となるように前記ファインダ像切替手段を切り替える制御と、前記撮像素子での像の一時取り込み制御とを行い、撮像直前に当該撮像素子での像の一時取り込みにより得られた画像を前記表示素子に表示してその表示画像を前記ファインダ光学系で観察可能に構成したことを特徴とする一眼レフ式デジタルスチルカメラ。
【請求項２】
被写体を撮像して光学像を得るための撮像光学系と、前記撮像光学系により結像された被写体像から画像データを得るための撮像素子と、前記撮像素子から得られる画像データに基づいて被写体の画像を表示する表示素子と、前記撮像光学系で得られる光学像と前記表示素子に表示される画像のそれぞれを観察可能なファインダ光学系と、前記ファインダ光学系で観察する対象を前記撮像光学系の光学像と前記表示素子の表示画像とで選択的に切り替えるファインダ像切替手段と、前記撮像光学系の光学像が前記撮像素子と前記ファインダ光学系のいずれか一方に入射されるように選択的に切り替える撮像切替手段と、前記ファインダ光学系で観察する対象を複数の異なるモードで観察可能とするために選択されたモードに対応して前記ファインダ像切替手段と前記撮像切替手段とを同時に切替動作制御可能な制御手段とを備え、前記制御手段は、レリーズボタンの全押しに呼応して、前記光学像が前記撮像素子に入射されるように前記撮像切替手段を切り替える制御と、前記ファインダ光学系で観察する対象が前記表示素子の表示画像となるように前記ファインダ像切替手段を切り替える制御と、前記撮像素子での像の取り込み制御とを行い、撮像直後に前記撮像素子での像の取り込みにより得られた画像を前記表示素子に表示してその表示画像を前記ファインダ光学系で観察可能に構成したことを特徴とする一眼レフ式デジタルスチルカメラ。
【請求項３】
被写体を撮像して光学像を得るための撮像光学系と、前記撮像光学系により結像された被写体像から画像データを得るための撮像素子と、前記撮像素子から得られる画像データに基づいて被写体の画像を表示する表示素子と、前記撮像光学系で得られる光学像と前記表示素子に表示される画像のそれぞれを観察可能なファインダ光学系と、前記ファインダ光学系で観察する対象を前記撮像光学系の光学像と前記表示素子の表示画像とで選択的に切り替えるファインダ像切替手段と、前記撮像光学系の光学像が前記撮像素子と前記ファインダ光学系のいずれか一方に入射されるように選択的に切り替える撮像切替手段と、前記ファインダ光学系で観察する対象を複数の異なるモードで観察可能とするために選択されたモードに対応して前記ファインダ像切替手段と前記撮像切替手段とを同時に切替動作制御可能な制御手段とを備え、前記制御手段は、レリーズボタンの半押しに呼応して、前記光学像が前記撮像素子に入射されるように前記撮像切替手段を切り替える制御と、前記ファインダ光学系で観察する対象が前記表示素子の表示画像となるように前記ファインダ像切替手段を切り替える制御と、前記撮像素子での像の一時取り込み制御とを行い、撮像直前に前記撮像素子での像の一時取り込みにより得られた画像を前記表示素子に表示してその表示画像を前記ファインダ光学系で観察可能にするとともに、前記レリーズボタンの全押しに呼応して前記撮像素子での像の取り込み制御を行い、撮像直後に当該撮像素子での像の取り込みにより得られた画像を前記表示素子に表示してその表示画像を前記ファインダ光学系で観察可能に構成したことを特徴とする一眼レフ式デジタルスチルカメラ。
【請求項４】
前記ファインダ像切替手段は第１の移動位置と第２の移動位置とで切り替え移動される可動ミラーで構成され、前記第１の移動位置においては前記撮像光学系の光学像を前記ファインダ光学系で観察可能とし、前記第２の移動位置で前記表示素子の表示画像を前記ファインダ光学系で観察可能とする請求項１ないし３のいずれかに記載の一眼レフ式デジタルスチルカメラ。
【請求項５】
前記可動ミラーは、前記ファインダ光学系と前記撮像光学系または表示素子のいずれか一方とを結ぶ第１の光路上に配置されるとともに、この可動ミラーで反射される前記ファインダ光学系の第２の光路上に前記撮像光学系または表示素子の他方が配置され、前記可動ミラーが前記第１の光路上に位置されているときには前記他方により得られる像をファインダ光学系に入射させ、前記第１の光路上から退避されたときに前記一方により得られる像をファインダ光学系に入射させるように構成する請求項４に記載の一眼レフ式デジタルスチルカメラ。
【請求項６】
前記ファインダ像切替手段がペンタミラーの反射面の一部で構成され、この反射面が可動ミラーとして構成される請求項１ないし３のいずれかに記載の一眼レフ式デジタルスチルカメラ。
【請求項７】
前記撮像切替手段が第１の移動位置と第２の移動位置とで切り替え移動される可動ミラーで構成され、前記第１の移動位置においては前記撮像光学系の光学像を前記撮像素子に結像し、前記第２の移動位置で前記撮像光学系の光学像を前記ファインダ光学系に向けて反射させる請求項１ないし６のいずれかに記載の一眼レフ式デジタルスチルカメラ。
【請求項８】
前記ファインダ光学系がケプラー望遠鏡式ファインダとして構成される請求項１ないし７のいずれかに記載の一眼レフ式デジタルスチルカメラ。
【発明の詳細な説明】
【０００１】
【発明の属する技術分野】
本発明は撮像素子を用いて被写体像をデジタルデータとして撮像するデジタルスチルカメラ（以下、ＤＳカメラと略称する）に関し、特に一眼レフ式のファインダ光学系を備えるＤＳカメラに関する。
【０００２】
【従来の技術】
近年のＤＳカメラでは、撮像する被写体を観察、確認するためのファインダ構造として、光学系によりファインダを構成したものと、液晶表示素子（ＬＣＤ）を利用してファインダを構成したものが提案されている。前者は、さらに従来の感光フィルムを用いたカメラのように透視方式のファインダと、一眼レフ方式のファインダとに分けられる。この透視方式のファインダを有するＤＳカメラでは、撮像レンズの焦点位置にＣＣＤ等の撮像素子を配置して被写体像をデジタルデータとして撮像する一方、この撮像光学系とは独立した光学系により被写体を観察するファインダ光学系が設けられている。また、一眼レフ方式は、従来の一眼レフ式カメラの感光フィルムに代えて撮像素子を配置しており、クイックリターンミラーの切り替え動作によって撮像光学系で結像される被写体像を撮像素子に結像して撮像を行い、かつこの結像された被写体像を視認するようにファインダ光学系が構成されている。また、ＬＣＤを利用したＤＳカメラは、撮像素子で撮像した被写体の画像を表示するＬＣＤをＤＳカメラの外面や内部に配設しており、このＬＣＤに表示された表示画像を肉眼によって直接に、あるいは光学系を介して視認することでファインダとして機能させるものである。
【０００３】
【発明が解決しようとする課題】
このような従来のＤＳカメラにおいて、前者の独立したファインダ光学系を備えるものは、撮像光学系によって結像される光学像を観察するものではないため、感光フィルムを用いたレンズシャッタ方式のカメラの場合と同様に撮像範囲が大まかにしか確認できず、特に接写時のパララックスが大きくなるという問題がある。この点、撮像光学系によって結像される光学像を観察する後者のクイックリターンミラー構成のものは、前記したような問題が生じない点で有利ではあるが、この構成においても実際に撮像素子で撮像された画像を確認することができないため、ＤＳカメラにおいて最も特徴とされている実際に撮像された画像の露出やシャッターチャンスの適否を確認することができないという問題がある。一方、ＬＣＤの表示画像を観察するファインダ構造のものは、前記したそれぞれの問題を解消することは可能であるが、ＬＣＤに電力を供給してオン状態にしなければ画像が表示されず、電力を供給しないとファインダとして機能しないため、カメラの電流消費量が増大し、電池寿命が短くなるという問題が生じる。
【０００４】
本発明の目的は、このような問題を解消し、撮影画像の確認を可能とする一方で電池の長寿命化を可能にしたファインダ構造を有する一眼レフ式ＤＳカメラを提供することにある。
【０００５】
【課題を解決するための手段】
本発明のＤＳカメラは、被写体を撮像して光学像を得るための撮像光学系と、前記撮像光学系により結像された被写体像から画像データを得るための撮像素子と、前記撮像素子から得られる画像データに基づいて被写体の画像を表示する表示素子と、前記撮像光学系で得られる光学像と前記表示素子に表示される画像のそれぞれを観察可能なファインダ光学系と、前記ファインダ光学系で観察する対象を前記撮像光学系の光学像と前記表示素子の表示画像とで選択的に切り替えるファインダ像切替手段と、前記撮像光学系の光学像が前記撮像素子と前記ファインダ光学系のいずれか一方に入射されるように選択的に切り替える撮像切替手段と、前記ファインダ光学系で観察する対象を複数の異なるモードで観察可能とするために選択されたモードに対応して前記ファインダ像切替手段と前記撮像切替手段とを同時に切替動作制御可能な制御手段とを備えており、前記制御手段は次の（１）〜（３）であることを特徴とする。
（１）制御手段は、レリーズボタンの半押しに呼応して、前記光学像が前記撮像素子に入射されるように前記撮像切替手段を切り替える制御と、前記ファインダ光学系で観察する対象が前記表示素子の表示画像となるように前記ファインダ像切替手段を切り替える制御と、前記撮像素子での像の一時取り込み制御とを行い、撮像直前に当該撮像素子での像の一時取り込みにより得られた画像を前記表示素子に表示してその表示画像を前記ファインダ光学系で観察可能に構成する。
（２）制御手段は、レリーズボタンの全押しに呼応して、前記光学像が前記撮像素子に入射されるように前記撮像切替手段を切り替える制御と、前記ファインダ光学系で観察する対象が前記表示素子の表示画像となるように前記ファインダ像切替手段を切り替える制御と、前記撮像素子での像の取り込み制御とを行い、撮像直後に前記撮像素子での像の取り込みにより得られた画像を前記表示素子に表示してその表示画像を前記ファインダ光学系で観察可能に構成する。
（３）制御手段は、レリーズボタンの半押しに呼応して、前記光学像が前記撮像素子に入射されるように前記撮像切替手段を切り替える制御と、前記ファインダ光学系で観察する対象が前記表示素子の表示画像となるように前記ファインダ像切替手段を切り替える制御と、前記撮像素子での像の一時取り込み制御とを行い、撮像直前に前記撮像素子での像の一時取り込みにより得られた画像を前記表示素子に表示してその表示画像を前記ファインダ光学系で観察可能にするとともに、前記レリーズボタンの全押しに呼応して前記撮像素子での像の取り込み制御を行い、撮像直後に当該撮像素子での像の取り込みにより得られた画像を前記表示素子に表示してその表示画像を前記ファインダ光学系で観察可能に構成する。
【０００６】
【発明の実施の形態】
次に、本発明の実施形態を図面を参照して説明する。図１は本発明の一実施形態のカメラの機構部分を模式的に示す斜視構成図である。この実施形態のＤＳカメラは、被写体を結像するための撮像光学系を構成する撮像レンズ１１と、この撮像レンズ１１の結像位置に配置された撮像素子としてのＣＣＤ１２と、前記撮像レンズ１１とＣＣＤ１２との間の光軸位置に配置されてＣＣＤ１２における撮像を選択的に可能な状態とする撮像切替手段としての撮像ミラー１３とを有している。また、前記撮像光学系１の上側位置には後述するようにファインダ光学系において確認するファインダ像を光学像とＬＣＤ像とで切り替えるためのファインダ像切替手段としてのファインダミラー２１が前記撮像ミラー１３の直上位置に配置されており、このファインダミラー２１の反射側にはファインダ光学系を構成するファインダレンズ２２が配置され、さらにこのファインダレンズ２２から前記ファインダミラー２１を覗いた光軸の延長上には前記ＣＣＤ１２で撮像した被写体像を表示する表示素子として、バックライト２３１付きのＬＣＤ２３が設けられる。
【０００７】
前記撮像ミラー１３は、その上側の面が反射面として構成されるとともに、その一端部に設けられた枢軸１３１により上下方向に揺動可能に図外のカメラボディに枢支されている。そして、そのカメラボディとの間に掛装されたスプリング１３２により下方への揺動習性が付与され、カメラボディに設けたストッパ１３３により前記反射面が撮像レンズ１１の光軸に対して４５度の角度位置に安定保持される。また、前記一端部には揺動レバー１３４が一体に突出形成されており、この揺動レバー１３４にはカメラボディに固定されたソレノイドプランジャ１３５が対向配置される。このソレノイドプランジャ１３５は通電されたときにプランジャ１３５ａが図示下方に突出され、揺動レバー１３４を介して前記撮像ミラー１３を前記スプリング１３２力に抗して上方に揺動させ、前記撮像レンズ１１の光軸上から退避させるように構成される。
【０００８】
また、前記ファインダミラー２１においても、その下面が反射面とされて前記ファインダレンズ２２の光軸に対して４５度の角度位置に安定保持されることを除けば、前記撮像ミラー１３と同様の構成とされている。すなわち、枢軸２１１により上下方向に揺動可能とされ、スプリング２１２とストッパ２１３とでファインダレンズ２２の光軸に対して４５度の角度に安定保持される。そして、ソレノイドプランジャ２１５への通電によって突出されるプランジャ２１５ａにより揺動レバー２１４を介してファインダミラー２１をスプリング２１２力に抗して上方に揺動させ、ファインダレンズ２２の光軸上から退避させるように構成される。
【０００９】
前記撮像レンズ１１は、ここでは多群構成のレンズ１１１からなるズームレンズとして構成されており、図には示されないズーム駆動機構によってその焦点距離が可変とされる。また、同じく図には示されない自動焦点（ＡＦ）機構により前記ＣＣＤ１２に対する被写体の結像焦点合わせが行われる。さらに、レンズ鏡筒内に絞り機構１１２が内蔵されており、所望の絞り値に設定することが可能である。
【００１０】
前記ファインダレンズ２２は、ここではケプラー望遠鏡方式のレンズとして構成されており、前記ファインダミラー２１の直後位置に配置されたリレーレンズ２２１と、このリレーレンズ２２１から所要の寸法はなれた同一光軸位置に配置されたアイピースレンズ２２２とで構成される。
【００１１】
このＤＳカメラの機構的な動作を説明する。図２は図１のＤＳカメラの側面構成を模式的に示す図であり、同図に鎖線で示すように、撮像ミラー１３が上方に揺動された退避位置にある状態では、撮像レンズ１１で撮像される被写体像はＣＣＤ１２に結像され、後述するように画像データが得られる。また、同図に実線で示すように、撮像ミラー１３が下方に揺動されて安定保持された状態では、撮像レンズ１１で撮像される被写体像は、撮像ミラー１３で上方に向けて反射され、この撮像ミラー１３に対して前記ＣＣＤ１２と共役な位置Ａに正立逆像として結像される。このとき、ファインダミラー２１が実線で示すように、下方に揺動されて安定位置にある状態では、前記Ａ位置の正立逆像はファインダミラー２１で後方に向けて反射され、前記リレーレンズ２２１によりＢ位置に正立正像に結像され、アイピースレンズ２２２によりこれを拡大して視認することができる。また、ファインダミラー２１が鎖線で示すように上方に揺動された退避位置にある状態では、前記撮像ミラー１３からの像はファインダレンズ２２で視認されることはない。このときには、ファインダミラー２１に対して前記撮像ミラー１３による正立逆像と共役な位置に配置されているＬＣＤ２３に前記ＣＣＤで得られる画像データが倒立逆像として表示されており、このＬＣＤ２３の像がリレーレンズ２２１によりＢ点に正立正像として結像され、アイピースレンズ２２２によりこれを拡大して視認することができる。
【００１２】
図３は前記撮像系およびファインダ系を含むＤＳカメラの全体の回路構成を示すブロック図である。前記撮像レンズ１１は、ズーム駆動回路３１、ＡＦ駆動回路３２、絞り駆動回路３３によりそれぞれ図外のズーム機構やＡＦ機構、および図１に示した絞り機構１１２が制御される。なお、これらの制御を自動的に行うために、測光回路３４、測距回路３５、ストロボ回路３６が設けられる。また、前記ＣＣＤ１２はＣＣＤ駆動回路３７により駆動され、前記撮像レンズ１１により結像された被写体像を電気信号に変換し、得られた画像信号を画像信号処理回路３８において処理し、得られた画像データを後述する中央制御部４４の内蔵メモリ４４ａに一時記憶し、さらに撮像が行われた画像データを画像用記憶媒体３９に記憶する。前記内蔵メモリ４４ａに記憶された画像データは前記ＬＣＤ２３に撮像画像として表示される。また、この内蔵メモリ４４ａに記憶された画像データ、および前記画像用記録媒体３９に記憶される画像データはそれぞれ外部出力端子４０から出力することも可能である。なお、前記画像信号処理回路３８は、既に広く提案されているものであるので、ここではその詳細な説明は省略する。さらに、前記ＬＣＤ２３に付設されているバックライト２３１は、バックライト駆動回路４１により点灯されたときに前記画像データに基づく被写体像を表示画像として表示することが可能とされている。また、前記撮像ミラー１３とファインダミラー２１を所要のタイミングで駆動するためにそれぞれのソレノイドプランジャの駆動回路４２，４３が設けられる。
【００１３】
そして、前記各回路を制御するための中央制御部４４がマイクロコンピュータ等から構成されている。この中央制御部には、電源スイッチ４５、自動・手動切替スイッチ４６等の各種スイッチや、２段押込み型のレリーズボタン４７が接続されているが、これらと共に、ＤＳカメラのファインダモードを設定するためのモード設定スイッチ４８も接続されている。
【００１４】
図４は前記モード設定スイッチ４８により切り替えられるファインダモードを説明するための図である。モード設定スイッチ４８は、ここでは２段切替構成とされており、第１段目の切替設定では、「常時光学ビューモード」、「光学・電子ビューモード」、「常時電子ビューモード」に切り替え可能とされる。「常時光学ビューモード」は、従来の感光フィルムを用いた一眼レフカメラと同様であり、撮像の前後を通してシャッター動作の瞬時以外は撮像レンズ１１で結像した被写体像をファインダレンズ２２を透して観察するモードである。また、「光学・電子ビューモード」は、撮影のシャッター動作の直前、直後以外は前記した「常時光学ビューモード」と同様に光学的な観察を行い、シャッター動作の直前、直後にはＬＣＤ２３に表示された画像を観察するモードである。このとき、シャッター動作の直前、または直後、あるいは直前と直後の両方のいずれのタイミングにおいてＬＣＤ２３の表示画像を確認するかによって、第２段目の切替設定によって、「撮像直前ビューモード」、「撮像直後ビューモード」、「撮像直前・直後ビューモード」の３種類に切り替え可能とされる。さらに、「電子ビューモード」は、常時ＬＣＤ表示画像を観察するモードである。この場合においても、シャッター動作の直前、または直後、あるいは直前と直後の両方のいずれのタイミングにおいてＬＣＤ表示画像を確認するかによって、第２段切替設定によって、「撮像直前ビューモード」、「撮像直後ビューモード」、「撮像直前・直後ビューモード」の３種類に切り替え可能とされる。
【００１５】
次に、前記したモード設定スイッチ４８により切り替えられる各ビューモードでの前記ＤＳカメラの撮像動作を説明する。なお、撮像に際してのズーム動作、ＡＦ動作、ストロボ動作、およびＣＣＤにおいて得られる電気信号から撮像データを得る動作等は、これまでに提供されているＤＳカメラと同様であるため、ここではその説明は省略する。
【００１６】
「常時光学ビューモード」
図５は「常時光学ビューモード」の動作を説明するためのフローチャートである。モード設定スイッチ４８により「常時光学ビューモード」に設定されていることを中央制御部４４が検出すると、ソレノイドプランジャ１３５，２１５への通電は行わず、撮像ミラー１３とファインダミラー２１はそれぞれ図２の実線位置に安定保持された状態とされる。これにより、撮像レンズ１１により結像される被写体像は撮像ミラー１３により反射されてＣＣＤ１２と共役位置Ａに正立逆像が結像され、さらにファインダミラー２１により反射され、前記したように、ファインダレンズ２２によって正立正像として観察される。そして、レリーズボタン４７の半押しを検出すると（ステップＳ１０１、以下同様））、絞り機構１１２が所要の絞りにまで絞り込み動作し、かつＡＦ機構がフォーカシング動作する（Ｓ１０２）。続いて、レリーズボタン４７の全押しを検出すると（Ｓ１０３）、撮像ミラー１３のソレノイドプランジャ１３５へ通電を行い、プランジャ１３５ａにより撮像ミラー１３をスプリング１３２力に抗して上方に揺動し、撮像レンズ１１の光軸から退避させる（Ｓ１０４）。これにより、撮像レンズ１１により結像される被写体像はＣＣＤ１２に結像されることになり、ＣＣＤ１２による撮像が行われ、画像データが画像用記憶媒体３９に記憶される（Ｓ１０５）。その後、絞り機構１１２は開放に戻され（Ｓ１０６）、ソレノイドプランジャへ１３５の通電を解除することで、撮像ミラー１３はスプリング１３２力によって下方の安定位置に復帰され（Ｓ１０７）、レリーズ前と同様に光学像によるファインダレンズ２２での確認が可能となる。なお、レリーズボタン４７の全押しを一定時間の間だけ検出しないときには（Ｓ１０８）、絞り機構１１２を開放に戻し（Ｓ１０９）、ステップＳ１０１に戻る。
【００１７】
「光学・電子ビューモード」＋「撮像直前ビューモード」
図６は光学ビューモードでの被写体を観察しており、撮像の直前のみＬＣＤ２３によりこれから撮像する画像を確認する「撮像直前ビューモード」の動作を説明するためのフローチャートである。モード設定スイッチ４８により「光学・電子ビューモード」でかつ「撮像直前ビューモード」に設定されていることを中央制御部４４が検出すると、ソレノイドプランジャ１３５，２１５への通電は行わず、撮像ミラー１３とファインダミラー２１はそれぞれ図２の実線位置に安定保持された状態とされる。これにより、「常時光学ビューモード」と同様に、撮像レンズ１１による光学像によりファインダレンズ２２での観察が可能となる。そして、レリーズボタン４８の半押しを検出すると（Ｓ２０１）、絞り機構１１２が所要の絞りにまで絞り込み動作し、ＡＦ機構がフォーカシング動作する（Ｓ２０２）。続いて、撮像ミラー１３とファインダミラー２１の各ソレノイドプランジャ１３５，２１５へ通電を行い、プランジャ１３５ａ，２１５ａにより撮像ミラー１３とファインダミラー２１をそれぞれスプリング力に抗して上方に揺動し、撮像レンズ１１の光軸、ファインダレンズ２２の光軸からそれぞれ退避させる（Ｓ２０３）。これにより、撮像レンズ１１により結像される被写体像はＣＣＤ１２に結像されることになり、ＣＣＤ１２により一時撮像が行われ、画像データが内蔵メモリ４４ａに記憶される（Ｓ２０４）。そして、これと同時にＬＣＤ２３への通電をオンとし、そのバックライト２３１を点灯すると共に前記一時撮像により得られた画像データをＬＣＤ２３に表示すると（Ｓ２０５）、この表示画像はファインダレンズ２２により観察される。これにより、撮像直前の被写体像がＬＣＤ２３に表示されてファインダレンズ２２によって確認されることになる。しかる上で、レリーズボタン４７の全押しを検出すると（Ｓ２０６）、ＬＣＤ２３への通電をオフし、バックライト２３１を消灯する（Ｓ２０７）。また、これとともに、ＣＣＤ１２に結像されている被写体像が撮像され、その画像データが画像用記憶媒体３９に記憶される（Ｓ２０８）。そして、絞り機構１１２を開放に戻し（Ｓ２０９）、撮像ミラー１３とファインダミラー２１の各ソレノイドプランジャ１３５，２１５への通電を解除することで、各ミラー１３，２１は元の位置に復帰され、再び光学像によるファインダレンズ２２での観察が可能となる（Ｓ２１０）。なお、ＬＣＤ２３の表示画像による確認を行った後に、一定時間のうちにレリーズボタン４７の全押しが検出されない場合には（Ｓ２１１）、ＬＣＤ２３への通電をオフし（Ｓ２１２）、絞り機構１１２を開放に戻し（Ｓ２１３）、撮像ミラー１３とファインダミラー２１を元の位置に復帰させ（Ｓ２１４）、ステップＳ２０１に戻る。
【００１８】
「光学・電子ビューモード」＋「撮像直後ビューモード」
図７は光学ビューモードでの被写体を観察しており、撮像の直後のみＬＣＤにより撮像した画像を確認する「撮像直後ビューモード」の動作を説明するためのフローチャートである。モード設定スイッチ４８により「光学・電子ビューモード」でかつ「撮像直後ビューモード」に設定されていることを中央制御部４４が検出すると、ソレノイドプランジャ１３５，２１５への通電は行わず、撮像ミラー１３とファインダミラー２１はそれぞれ図２の実線位置に安定保持された状態とされる。これにより、「常時光学ビューモード」と同様に、撮像レンズ１１による光学像によりファインダレンズ２２での観察が可能となる。そして、レリーズボタン４７の半押しを検出すると（Ｓ３０１）、絞り機構１１２が所要の絞りにまで絞り込み動作し、ＡＦ機構がフォーカシング動作する（Ｓ３０２）。そして、レリーズボタン４７の全押しを検出すると（Ｓ３０３）、撮像ミラー１３とファインダミラー２１の各ソレノイドプランジャ１３５，２１５へ通電を行い、プランジャ１３５ａ，２１５ａにより撮像ミラー１３とファインダミラー２１をそれぞれスプリング１３２，２１２力に抗して上方に揺動し、撮像レンズ１１の光軸、ファインダレンズ２２の光軸からそれぞれ退避させる（Ｓ３０４）。これにより、撮像レンズ１１により結像される被写体像はＣＣＤ１２に結像されることになり、ＣＣＤ１２による撮像が行われ、撮像された画像データが画像用記憶媒体３９に記憶される（Ｓ３０５）。そして、その直後に、ＬＣＤ２３への通電をオンとし、そのバックライト２３１を点灯すると共に前記撮像により得られた画像データをＬＣＤ２３に表示すると（Ｓ３０６）、この表示画像はファインダレンズ２２により観察される。これにより、撮像したの被写体像がＬＣＤ２３に表示される画像によってファインダレンズ２２により確認されることになる。そして、一定時間の間、この表示を行うと、ＬＣＤ２３への通電がオフされ、バックライト２３１が消灯され、表示が消去される（Ｓ３０７）。その後、絞り機構１１２を開放に戻し（Ｓ３０８）、撮像ミラー１３とファインダミラー２１の各ソレノイドプランジャ１３５，２１５への通電を解除することで、各ミラー１３，２１は元の位置に復帰され、再び光学像によるファインダレンズ２２での観察が可能となる（Ｓ３０９）。なお、レリーズボタン４７の全押しが一定時間のうちに検出されない場合には（Ｓ３１０）、絞り機構１１２を開放に戻し（Ｓ３１１）、ステップＳ３０１に戻る。
【００１９】
「光学・電子ビューモード」＋「撮像直前・直後ビューモード」
図８は光学ビューモードでの被写体を観察しており、撮像の直前と直後のそれぞれにおいてＬＣＤにより撮像した画像を確認する「撮像直前・直後ビューモード」の動作を説明するためのフローチャートである。モード設定スイッチ４８により「光学・電子ビューモード」でかつ「撮像直前・直後ビューモード」に設定されていることを中央制御部４４が検出すると、ソレノイドプランジャ１３５，２１５への通電は行わず、撮像ミラー１３とファインダミラー２１はそれぞれ図２の実線位置に安定保持された状態とされる。これにより、「常時光学ビューモード」と同様に、撮像レンズ１１による光学像によりファインダレンズ２２での観察が可能となる。そして、レリーズボタン４７の半押しを検出すると（Ｓ４０１）、絞り機構１１２が所要の絞りにまで絞り込み動作し、ＡＦ機構がフォーカシング動作する（Ｓ４０２）。続いて、撮像ミラー１３とファインダミラー２１の各ソレノイドプランジャ１３５，２１５へ通電を行い、プランジャ１３５ａ，２１５ａにより撮像ミラー１３とファインダミラー２１をそれぞれスプリング１３２，２１２力に抗して上方に揺動し、撮像レンズ１１の光軸、ファインダレンズ２２の光軸からそれぞれ退避させる（Ｓ４０３）。これにより、撮像レンズ１１により結像される被写体像はＣＣＤ１２に結像されることになり、ＣＣＤ１２により一時撮像が行われ、画像データが内蔵メモリ４４ａに記憶される（Ｓ４０４）。そして、これと同時にＬＣＤ２３への通電をオンとし、そのバックライト２３１を点灯すると共に前記一時撮像により得られた画像データをＬＣＤ２３に表示すると（Ｓ４０５）、この表示画像はファインダレンズ２２により観察される。これにより、撮像直前の被写体像がＬＣＤ２３の表示画像によってファインダレンズ２２で確認されることになる。しかる上で、レリーズボタン４７の全押しを検出すると（Ｓ４０６）、ＬＣＤ２３への通電を一旦オフしてバックライト２３１を消灯し（Ｓ４０７）、これと共にＣＣＤ１２に結像されている被写体像が撮像され、その画像データが画像用記憶媒体３９に記憶される（Ｓ４０８）。そして、ＬＣＤ２３への通電をオンとし、そのバックライト２３１を点灯すると共に前記撮像により得られた画像データをＬＣＤ２３に表示し（Ｓ４０９）、この表示画像はファインダレンズ２２により観察される。これにより、撮像した被写体像がＬＣＤによって確認されることになる。そして、一定時間の間、この表示を行ったのち、ＬＣＤ２３への通電がオフされ、バックライト２３１を消灯し、表示が消去される（Ｓ４１０）。その後、絞り機構１１２を開放に戻し（Ｓ４１１）、撮像ミラー１３とファインダミラー２１の各ソレノイドプランジャ１３５，２１５への通電を解除することで、各ミラー１３，２１は元の位置に復帰され（Ｓ４１２）、再び光学像によるファインダレンズ２２での観察が可能となる。なお、レリーズボタン４７の全押しが一定時間のうちに検出されない場合には（Ｓ４１３）、ＬＣＤ２３への通電をオフするとともに（Ｓ４１４）、絞り機構１１２を開放に戻し（Ｓ４１５）、さらに撮像ミラー１３とファインダミラー２１を下方に揺動して安定保持位置に復帰させ（Ｓ４１６）、以後光学像によるファインダレンズ２２での観察が可能となり、ステップＳ４０１に戻る。
【００２０】
一方、電子ビューモードは、光学像によるファインダ観察を全く行わず、ＬＣＤ２３に表示された画像を観察するモードである。したがって、この「電子ビューモード」の場合には、撮像ミラー１３とファインダミラー２１の各ソレノイドプランジャ１３５，２１５に通電を行って両ミラー１３，２１を上方に揺動位置させておけばよく、この電子ビューモードにおける「撮像直前ビューモード」「撮像直後ビューモード」「撮像直前・直後ビューモード」の動作は、前記した光学・電子ビューモードの「撮像直前ビューモード」「撮像直後ビューモード」「撮像直前・直後ビューモード」のそれぞれにおける撮像ミラー１３とファインダミラー２１の下方への揺動動作を除けばほぼ同様に行うことができる。
【００２１】
「電子ビューモード」＋「撮像直前ビューモード」
図９は電子ビューモードにおける撮像直前ビューモードのフローチャートである。モード設定スイッチ４８の設定により、先ず撮像ミラー１３とファインダミラー２１を各ソレノイドプランジャ１３５，２１５に通電することで上方に揺動させ、撮像レンズ１１とファインダレンズ２２の光軸上から退避させる（Ｓ５０１）。これにより、撮像レンズ１１による光学像はフォーカシングされた状態でＣＣＤ１２に結像され、このＣＣＤ１２からの連続した動画像データに基づくＬＣＤ２３の表示画像をファインダレンズ２２を通して観察可能な状態となり、この状態が継続される（Ｓ５０２）。そして、レリーズボタン４７の半押しを検出すると（Ｓ５０３）、絞り機構１１２が所要の絞りにまで絞り込み動作し、ＡＦ機構がフォーカシング動作する（Ｓ５０４）。続いて、ＣＣＤ１２において結像された被写体像を一時的に撮像して静止画像を内蔵メモリ４４ａに記憶する（Ｓ５０５）とともに、ＬＣＤ２３への通電をオンとし、そのバックライト２３１を点灯すると共に前記一時撮像により得られた画像データをＬＣＤ２３に表示する（Ｓ５０６）。これにより、このＬＣＤ２３の表示画像はファインダレンズ２２により観察され、撮像直前の被写体像が確認されることになる。しかる上で、レリーズボタン４７の全押しを検出すると（Ｓ５０７）、ＬＣＤ２３への通電をオフし、バックライト２３１を消灯する（Ｓ５０８）。また、これと同時に、ＣＣＤ１２に結像されている被写体像が撮像され、その画像データが画像用記憶媒体３９に記憶される（Ｓ５０９）。そして、絞り機構１１２を開放に戻す（Ｓ５１０）。なお、ＬＣＤ２３による確認を行った後に、一定時間のうちにレリーズボタン４７の全押しが検出されない場合には（Ｓ５１１）、ＬＣＤ２３への通電をオフし（Ｓ５１２）、絞り機構１１２を開放に戻し（Ｓ５１３）、ステップＳ５０２に戻る。
【００２２】
「電子ビューモード」＋「撮像直後ビューモード」
図１０は電子ビューモードにおける撮像直後ビューモードのフローチャートである。モード設定スイッチ４８の設定により、図９の場合と同様に先ず撮像ミラー１３とファインダミラー２１を上方に揺動させる（Ｓ６０１）。これにより、撮像レンズ１１による光学像はフォーカシングされた状態でＣＣＤ１２に結像され、このＣＣＤ１２からの連続した動画像データに基づくＬＣＤ２３の表示画像をファインダレンズ２２を通して観察可能な状態となり、この状態が継続される（Ｓ６０２）。そして、レリーズボタン４７の半押しを検出すると（Ｓ６０３）、絞り機構１１２が所要の絞りにまで絞り込み動作し、ＡＦ機構がフォーカシング動作する（Ｓ６０４）。そして、レリーズボタン４７の全押しを検出すると（Ｓ６０５）、ＬＣＤ２３への通電をオフし、バックライト２３１を消灯する（Ｓ６０６）。同時にＣＣＤ１２に結像されている被写体像が撮像されて画像用記憶媒体３９に記憶され（Ｓ６０７）、その画像データによりＬＣＤ２３での表示が一定時間の間行われ（Ｓ６０８）、ファインダレンズ２２により撮像した画像が観察される。これにより、撮像した静止画像がその直後に確認される。その後、ＬＣＤ２３への通電をオフし（Ｓ６０９）、絞り機構１１２を開放に戻す（Ｓ６１０）。なお、一定時間のうちにレリーズボタン１１２の全押しが検出されない場合には（Ｓ６１１）、ＬＣＤ２３への通電をオフし（Ｓ６１２）、絞り機構１１２を開放に戻し（Ｓ６１３）、ステップＳ６０２に戻る。
【００２３】
「電子ビューモード」＋「撮像直前・直後ビューモード」
図１１は電子ビューモードにおける撮像直前・直後ビューモードのフローチャートである。モード設定スイッチ４８の設定により、図９，図１０と同様に先ず撮像ミラー１３とファインダミラー２１を上方に揺動させる（Ｓ７０１）。これにより、撮像レンズ１１による光学像はフォーカシングされた状態でＣＣＤ１２に結像され、このＣＣＤ１２からの連続した動画像データに基づくＬＣＤ２３の表示画像をファインダレンズ２２を通して観察可能な状態となり、この状態が継続される（Ｓ７０２）。そして、レリーズボタン４７の半押しを検出すると（Ｓ７０３）、絞り機構１１２が所要の絞りにまで絞り込み動作し、ＡＦ機構がフォーカシング動作する（Ｓ７０４）。続いて、ＣＣＤ１２により一時撮像が行われ、画像データが内蔵メモリ４４ａに記憶される（Ｓ７０５）。そして、これと同時に前記一時撮像により得られた静止画像データをＬＣＤ２３に表示する（Ｓ７０６）。これにより、撮像直前の被写体像がＬＣＤ２３によって確認されることになる。しかる上で、レリーズボタン４７の全押しを検出すると（Ｓ７０７）、ＬＣＤ２３への通電を一旦オフしてバックライト２３１を消灯し（Ｓ７０８）、これと共にＣＣＤ１２に結像されている被写体像が撮像され、その画像データが画像用記憶媒体３９に記憶される（Ｓ７０９）。そして、ＬＣＤ２３への通電をオンとし、そのバックライト２３１を点灯すると共に前記撮像により得られた静止画像データを一定時間の間、ＬＣＤ２３に表示し（Ｓ７１０）、撮像した表示画像がファインダレンズ２２により観察される。その後、絞り機構１１２を開放に戻す（Ｓ７１１）。なお、レリーズボタン４７の全押しが一定時間のうちに検出されない場合には（Ｓ７１２）、ＬＣＤ２３への通電をオフするとともに（Ｓ７１３）、絞り機構１１２を開放に戻し（Ｓ７１４）、ステップＳ７０２に戻る。
【００２４】
以上のように、この実施形態のＤＳカメラでは、常時光学ビューモードでは、撮像の前後にわたって撮像レンズ１１で結像される被写体の光学像をファインダレンズ１２により観察することになる。これにより、従来の一眼レフカメラと同様に、実際に撮像する画像をパララックスが無く確認でき、しかもファインダにおける電池消耗が殆ど無い状態でのファインダ観察が可能となる。また、光学・電子ビューモードでは、撮像の直前または直後、あるいはその両方のタイミングにおいて、ＣＣＤ１２により実際に撮像される、あるいは撮像された画像をＬＣＤ２３を通してファインダレンズ２２で確認できる。また、この確認を行う以外のタイミングでは、前記したような光学像によるファインダレンズ２２での確認が行われる。これにより、実際に撮像される画像の確認が可能であるとともに、このＬＣＤ２３による観察は極短い時間であり、殆どは光学像による確認であるため、電池の消耗を極力抑制することが可能となる。したがって、このＤＳカメラでは、実際に撮像される画像の確認が可能であり、露出やシャッターチャンスを確認する上で有利であるとともに、電池の長寿命化が実現できる。また、光学像の確認に加えて電子像を確認することで、ＣＣＤ特有のブルーミング、スミア等の発生を回避するように構図等の撮像条件を設定することが可能であり、また、ホワイトバランス等の電子画像調整のモードして利用することも可能となる。
【００２５】
ここで、図１２に第２の実施形態を示すように、共役位置Ａにおける結像の大きさはＣＣＤ１２の大きさに等しく、ＣＣＤ１２は一般には１／４インチ程度の小寸法である。このため、ファインダ系はＬＣＤ全体を観察できるようにするため大型化するとともに、共役位置の結像が小さくなってしまう。そこで、ＬＣＤ２３の表示面側に縮小用レンズ２３２を設けてＬＣＤ２３の表示画像を縮小し、これを前記共役位置Ａと共役となる位置Ｃに結像し、これをファインダレンズ２２により観察するように構成する。これによりＬＣＤ２３とＣＣＤ１２との寸法差による、光学像と電子像とのファインダ上での寸法差が解消される。
【００２６】
また、図１３に第３の実施形態を示すように、ファインダミラーに代えて、ペンタプリズム（ペンタゴナルダッハプリズム）２４を用いてもよい。この場合には、ペンタプリズム２４によって正立逆像を正立正像に修正できるため、ファインダレンズ２２は通常のアイピースレンズ２２２で構成されればよい。また、この実施形態では、ペンタプリズム２４の前面には色検出用楔型プリズム２４１を配置し、ＬＣＤ２３の表示画像がペンタプリズム２４を透過する際によって生じる色収差による着色を防止する。また、ＬＣＤ２３の寸法に応じて、同図に破線で示すように図１２に示したような縮小レンズ２３２を設けてもよい。この構成では、撮像ミラー１３を図示実線に示す下方に揺動位置させたときには、撮像ミラー１３からの光学像は常時ペンタプリズム２４で反射されてファインダレンズ２２にまで到達されるため、光学像による観察が可能となる。一方、撮像ミラー１３を図示鎖線に示す上方に揺動位置させたときには、ＣＣＤ１２による撮像が行われ、かつこの撮像された画像データによりＬＣＤ２３に撮像が表示される。そして、このＬＣＤ２３のバックライト２３１を点灯したときには、ＬＣＤ２３の表示画像がペンタプリズム２４を透過してファインダレンズ２２にまで到達され、観察されることになる。この構成では、ファインダレンズ２２としてケプラー望遠鏡方式のものが不要となり、ファインダ系２を小型化する上で有利となる。
【００２７】
図１４は前記ペンタプリズムに代えてペンタミラー２５を用いた第４の実施形態の構成図である。この実施形態では、ペンタミラー２５の前面のミラー２５１を揺動可能な可動ミラーで構成し、ＬＣＤ２３とファインダレンズ２２とを結ぶ光軸から退避可能に構成している。この可動ミラー２５１の構成としては、前記したファインダミラー２１と同様にソレノイドプランジャによって揺動が制御できるように構成すればよい。この構成では、撮像ミラー１３が図示実線で示す下方揺動位置にあり、かつ可動ミラー２５１が上方に揺動位置されているときには、撮像ミラー１３からの光学像をファインダレンズ２２に向けて反射させ、光学像によるファインダ観察が行われる。また、撮像ミラー１３を図示鎖線に示す上方に揺動位置させてＣＣＤ１２による撮像を行うとともに、可動ミラー２５１を図示鎖線の下方に揺動してＬＣＤ２３の光軸上から退避させたときには、ＬＣＤ２３で表示される画像をペンタミラー２５の内部を透過させた上でファインダレンズ２２で観察することになる。この構成においても、ファインダ系２が小型化できることは前記構成と同じである。
【００２８】
図１５はファインダミラーを３枚構成とし、撮像ミラー１３で反射された光学像を第１、第２、第３のファインダミラー２１Ａ，２１Ｂ，２１Ｃで順次反射させながらファインダレンズ２２にまで導くようにした第５の実施形態の模式的な構成図である。撮像ミラー１３で反射された光学像をこれら３枚のファインダミラー２１Ａ，２１Ｂ，２１Ｃで順次反射させることで、最終的にファインダレンズ２２に結像される光学像は正立正像となるため、ファインダレンズ２２は拡大用のアイピースレンズ２２２で構成できる。そして、前記第１、第２、第３のいずれかのファインダミラー２１Ａ，２１Ｂ，２１Ｃをその反射光の光軸に対して退避できるように揺動可能に構成するとともに、各ファインダミラーを挟んでファインダレンズ２２と反対側でかつその反射光の光軸の延長上のいずれかにＬＣＤ２３Ａ，２３Ｂ，２３Ｃを配置する。例えば、第１のファインダミラー２１Ａを揺動可能な構成としたときには、その背後の位置にＬＣＤ２３Ａを配置し、第２のファインダミラー２１Ｂを揺動可能としたときにはその背後の位置にＬＣＤ２３Ｂを配置し、第３のファインダミラー２１Ｃを揺動可能としたときにはその背後の位置にＬＣＤ２３Ｃを配置する。このとき、ＬＣＤと共に縮小レンズを配置してもよい。
【００２９】
この構成では、例えば、図１５に実線で示したように、第３のファインダミラー２１Ｃを揺動可能な構成とした場合には、第３のファインダミラー２１Ｃを光軸上に揺動位置させたときには撮像ミラー１３ないし第１、第２のファインダミラー２１Ａ，２１Ｂで順次反射された光学像は第３のファインダミラー２１Ｃで反射された後、ファインダレンズ２２によって観察されることになる。そして、第３のファインダミラー２１Ｃを図示鎖線に示す位置に光軸上から退避させたときには、ＬＣＤ２３Ｃで表示された画像をファインダレンズ２２により観察することが可能となる。したがって、カメラボディの形状、構造に準じてＬＣＤを設置する箇所の設計の自由度が高められる。また、ペンタプリズムやペンタミラーが不要であり、しかもファインダレンズにケプラー望遠鏡方式を採用する必要がないため、小型化の点で有利となる。
【００３１】
【発明の効果】
以上説明したように本発明は、撮像光学系で得られる光学像と、撮像素子で撮像して得られた画像データに基づいて得られる表示素子の表示画像とを、ファインダ像切替手段により選択的に切り替えてファインダ光学系により観察し得るように構成されるとともに、撮像光学系の光学像が撮像素子とファインダ光学系のいずれか一方に入射されるように選択的に切り替えるように構成され、さらにファインダ光学系で観察する対象を複数の異なるモードで観察可能とするために選択されたモードに対応してファインダ像切替手段と撮像切替手段とを同時に切替動作制御可能な制御手段とを備えているので、撮像の直前に表示画像を観察してそれ以外のときは光学像を観察する撮像モード、撮像前は光学像を観察して撮像直後に表示画像を観察する撮像モード、撮像の直前と直後に表示画像を観察する撮像モードのように異なるモードで被写体を確認した撮像が実現できる。
【図面の簡単な説明】
【図１】本発明のＤＳカメラの一実施形態の概略構成を示す斜視図である。
【図２】図１の側面構成を模式的に示す図である。
【図３】図１のカメラの回路構成を示すブロック回路図である。
【図４】本発明のＤＳカメラの３種類のビューモードを示すチャートてある。
【図５】常時光学ビューモードのフローチャートである。
【図６】光学・電子ビューモードの撮像直前ビューモードのフローチャートである。
【図７】光学・電子ビューモードの撮像直後ビューモードのフローチャートである。
【図８】光学・電子ビューモードの撮像直前・直後ビューモードのフローチャートである。
【図９】電子ビューモードの撮像直前ビューモードのフローチャートである。
【図１０】電子ビューモードの撮像直後ビューモードのフローチャートである。
【図１１】電子ビューモードの撮像直前・直後ビューモードのフローチャートである。
【図１２】本発明の第２の実施形態の側面構成を模式的に示す図である。
【図１３】本発明の第３の他の実施形態の側面構成を模式的に示す図である。
【図１４】本発明の第４の実施形態の側面構成を模式的に示す図である。
【図１５】本発明の第５の実施形態の概略構成を模式的に示す斜視図である。
【符号の説明】
１１  撮像レンズ
１２  ＣＣＤ
１３  撮像ミラー
２１  ファインダミラー
２２  ファインダレンズ
２３  ＬＣＤ
２４  ペンタプリズム
２５  ペンタミラー
【図１】
0003559422.tif 000002
【図２】
0003559422.tif 000003
【図３】
0003559422.tif 000004
【図４】
0003559422.tif 000005
【図５】
0003559422.tif 000006
【図６】
0003559422.tif 000007
【図７】
0003559422.tif 000008
【図８】
0003559422.tif 000009
【図９】
0003559422.tif 000010
【図１０】
0003559422.tif 000011
【図１１】
0003559422.tif 000012
【図１２】
0003559422.tif 000013
【図１３】
0003559422.tif 000014
【図１４】
0003559422.tif 000015
【図１５】
0003559422.tif 000016